(57)【要約】【課題】ユーザが使用したい感応操作を容易に探し出すことができる操作が簡単であるマグネット制御切換スイッチを備える発光装置を提供する。【解決手段】切換ユニット、磁性体、回路板、磁気センサ及び発光デバイスを含むマグネット制御切換スイッチを備える発光装置であって、磁性体３３及び磁気センサ４１を用いて切換ユニット３に組合せ、複数の磁界を形成させ、機能ボタンと等価回路を形成し、磁気センサ４１に回路板４を介して発光デバイス２を制御させ、複数の感応操作を発生させて、操作を簡単に行うことができる。【選択図】図１
0003136405.tif 000002
【実用新案登録請求の範囲】
【請求項１】
切換ユニット、少なくとも一つの磁性体、回路板、少なくとも一つの磁気センサ及び発光デバイスを含むマグネット制御切換スイッチを備える発光装置であって、
前記切換ユニットは前記発光装置の本体に配置され、
前記磁性体は前記切換ユニットに配置され、
前記回路板は前記本体に配置され、
前記磁気センサは前記回路板に配置され、
前記発光デバイスは前記回路板に配置され、前記切換ユニットが前記本体上で切換を行なう時、前記磁性体と前記磁気センサとの間に複数の磁界が形成され、前記磁界が前記磁気センサに、前記回路板を介して前記発光デバイスを制御させ、複数の感応操作を発生させることを特徴とするマグネット制御切換スイッチを備える発光装置。
【請求項２】
前記切換ユニットが前記本体上で回転して切換を行なうことを特徴とする請求項１に記載のマグネット制御切換スイッチを備える発光装置。
【請求項３】
前記切換ユニットは回転リング構造で、前記回転リング構造は前記内側回転リング及び前記外側回転リングを含み、前記内側回転リングの外周縁には複数の凸部が形成され、前記外側回転リングの内周縁には複数の前記凸部に対応する複数の凹部が形成され、前記外側回転リングは、前記凸部と前記凹部とが接合することにより前記内側回転リングに被せられることを特徴とする請求項１に記載のマグネット制御切換スイッチを備える発光装置。
【請求項４】
前記本体と前記外側回転リングの前記凹部との間に、少なくとも一つの弾性定位体を有し、前記切換ユニットが回転する時、複数の定位点を形成することを特徴とする請求項３に記載のマグネット制御切換スイッチを備える発光装置。
【請求項５】
前記切換ユニットは材料が防水材料であり、プラスチックまたは金属であることを特徴とする請求項３に記載のマグネット制御切換スイッチを備える発光装置。
【請求項６】
前記本体は円管体であることを特徴とする請求項１に記載のマグネット制御切換スイッチを備える発光装置。
【請求項７】
前記本体は材料が防水材料であり、プラスチックまたは金属であることを特徴とする請求項６に記載のマグネット制御切換スイッチを備える発光装置。
【請求項８】
前記磁性体は磁石であり、前記切換ユニットは前記磁性体を配置する装着孔を少なくとも一つ有することを特徴とする請求項１に記載のマグネット制御切換スイッチを備える発光装置。
【請求項９】
カバー及びレンズをさらに含むマグネット制御切換スイッチを備える発光装置であって、
前記カバーは貫孔を有し、前記本体に配置され、
前記レンズは前記カバーの下方に配置され、前記貫孔を覆うことを特徴とする請求項１に記載のマグネット制御切換スイッチを備える発光装置。
【請求項１０】
前記切換ユニットは機能表示を有し、前記本体は指示表示を有することにより感応操作を区別することを特徴とする請求項１に記載のマグネット制御切換スイッチを備える発光装置。
【考案の詳細な説明】
【技術分野】
【０００１】
本考案は、マグネット制御切換スイッチを備える発光装置に関し、特に磁性体及び磁気センサの相対的位置変化を用いて複数の磁界を形成、磁気センサに回路板を介して発光デバイスを制御させ、複数の感応操作を発生させるマグネット制御切換スイッチを備える発光装置に関する。
【背景技術】
【０００２】
従来の懐中電灯などの多機能の携帯発光装置は、体積、外観及び防水などの要因のため、単一のボタンを用いてすべての機能に対して、設定操作を行うことが困難であった。あるいは、複数のボタンを用いた場合は、防水構造を増加させざるをえなかった。また、複数のボタンと、ボタンを押す間隔及び順序とを組み合わせて、機能に対して、設定操作を行うことができるものもあったが、機能に多様性を求めることができないうえ、ユーザが操作する際、操作を誤りやすいという事態を引き起こした。例えば、単一のボタンを用いてすべての機能に対して、設定操作を行う場合（例えば、オフ-モード  ０-モード  １-モード  ２-…-オフ）、このような状態において、ユーザは現在の状態を明確に把握できず、操作したいモードに直接入ることができなかった。複数のボタンにより操作を行なおうとすると、本体の構造上、設計が難かしく、防水効果を有することが困難であった。そのため、操作が簡単で、防水機能を有する発光装置を、いかにして製作するかが本考案の重要課題である。
【特許文献１】特開２００３−３４６５４４号公報
【考案の開示】
【考案が解決しようとする課題】
【０００３】
本考案の目的は、磁性体及び磁気センサを用いて切換ユニットに組合せ、機能ボタンと等価回路を形成し、操作を簡単に行うことができるマグネット制御切換スイッチを備える発光装置を提供することにある。
【課題を解決するための手段】
【０００４】
上述の目的を達成するため、請求項１の本考案は、マグネット制御切換スイッチを備える発光装置は、切換ユニット、少なくとも一つの磁性体、回路板、少なくとも一つの磁気センサ及び発光デバイスを含む。切換ユニットは発光装置の本体に配置され、磁性体は切換ユニットに配置され、回路板は本体に配置され、磁気センサは回路板に配置され、発光デバイスは回路板に配置される。切換ユニットが本体上で切換を行なう時、磁性体と磁気センサとの間に複数の磁界が形成され、磁界が磁気センサに、回路板を介して発光デバイスを制御させ、複数の感応操作を発生させる。
【０００５】
請求項２の考案は、前記切換ユニットが前記本体上で回転して切換を行なうことを特徴とする請求項１に記載のマグネット制御切換スイッチを備える発光装置である。
請求項３の考案は、前記切換ユニットは回転リング構造で、前記回転リング構造は前記内側回転リング及び前記外側回転リングを含み、前記内側回転リングの外周縁には複数の凸部が形成され、前記外側回転リングの内周縁には複数の前記凸部に対応する複数の凹部が形成され、前記外側回転リングは、前記凸部と前記凹部とが接合することにより前記内側回転リングに被せられることを特徴とする請求項１に記載のマグネット制御切換スイッチを備える発光装置である。
請求項４の考案は、前記本体と前記外側回転リングの前記凹部との間に、少なくとも一つの弾性定位体を有し、前記切換ユニットが回転する時、複数の定位点を形成することを特徴とする請求項３に記載のマグネット制御切換スイッチを備える発光装置である。
【０００６】
請求項５の考案は、前記切換ユニットは材料が防水材料であり、プラスチックまたは金属であることを特徴とする請求項３に記載のマグネット制御切換スイッチを備える発光装置である。
請求項６の考案は、前記本体は円管体であることを特徴とする請求項１に記載のマグネット制御切換スイッチを備える発光装置である。
請求項７の考案は、前記本体は材料が防水材料であり、プラスチックまたは金属であることを特徴とする請求項６に記載のマグネット制御切換スイッチを備える発光装置である。
請求項８の考案は、前記磁性体は磁石であり、前記切換ユニットは前記磁性体を配置する装着孔を少なくとも一つ有することを特徴とする請求項１に記載のマグネット制御切換スイッチを備える発光装置である。
請求項９の考案は、カバー及びレンズをさらに含むマグネット制御切換スイッチを備える発光装置であって、前記カバーは貫孔を有し、前記本体に配置され、前記レンズは前記カバーの下方に配置され、前記貫孔を覆うことを特徴とする請求項１に記載のマグネット制御切換スイッチを備える発光装置である。
請求項１０の考案は、前記切換ユニットは機能表示を有し、前記本体は指示表示を有することにより感応操作を区別することを特徴とする請求項１に記載のマグネット制御切換スイッチを備える発光装置である。
【考案の効果】
【０００７】
本考案によれば、磁性体及び磁気センサを用いて切換ユニットに組合せ、機能ボタンと等価回路を形成し、操作を簡単に行うことができる。本体上の指示表示が切換ユニット上の機能表示を指し示し、ユーザは使用したい感応操作を容易に探し出すことができる。
【考案を実施するための最良の形態】
【０００８】
以下、本考案の実施形態を図面に基づいて説明する。
図１は、本考案の実施形態によるマグネット制御切換スイッチを備える発光装置を示す立体斜視図である。図２は、本考案の実施形態によるマグネット制御切換スイッチを備える発光装置を示す断面図である。図３は、本考案の実施形態によるマグネット制御切換スイッチを備える発光装置を示す斜視図である。
図１〜図３に示すように、本考案の実施形態のマグネット制御切換スイッチを備える発光装置は、切換ユニット３を備える。切換ユニット３は、内側回転リング３１及び外側回転リング３４を有し、内側回転リング３１の外周縁には複数の凸部が形成され、外側回転リング３４の内周縁には複数の凸部に対応する複数の凹部が形成される。外側回転リング３４は、凸部と凹部とが接合することにより内側回転リング３１に被せられる。切換ユニット３は、磁性体３３（例えば、磁石であるが、これに限定されない）を配置する装着孔３２を少なくとも一つ有する。
【０００９】
また、切換ユニット３は、複数の機能表示が設けられる（図示せず）。本体１（例えば、円管体であるが、これに限定されない）は、外側回転リング３４の凹部との間に、少なくとも一つの弾性定位体６（例えば、弾条体であるが、これに限定されない）を有し、切換ユニット３が回転する時、複数の定位点を形成する。また、本体１は、指示表示が設けられる（図示せず）。切換ユニット３は、発光装置の本体１上に配置され、切換ユニット３は、本体１上で回転して切換を行なう。本体１には、回路板４（例えば、プリント回路板であるが、これに限定されない）が配置され、回路板４には、少なくとも一つの磁気センサ４１及び発光デバイス２（例えば、発光デバイス中の発光ダイオードであるが、これに限定されない）が配置される。切換ユニット３が本体１上で回転する時、磁性体３３と磁気センサ４１との間には、位置変化により複数の磁界が形成され、複数の磁界が磁気センサ４１に、回路板４を介して発光デバイス２を制御させ、複数の感応操作を発生させる。これと同時に、本体１上の指示表示（図示せず）が切換ユニット３上の機能表示（図示せず）を指し示し、ユーザは使用したい感応操作を容易に探し出すことができる。
【００１０】
上述したマグネット制御切換スイッチを備える発光装置は、カバー１１及びレンズ５をさらに備える。カバー１１は、貫孔１２（例えば、発光孔であるが、これに限定されない）を有し、本体１上に配置される。カバー１１の下方には、レンズ５が配置され、貫孔１２を覆う。また、本体１及び切換ユニット３の材料は、発光装置が組み立てられた後、防水機能を有するように、防水材料（例えば、プラスチックまたは金属であるが、これに限定されない）でも良い。
【００１１】
上述したように、本考案のマグネット制御切換スイッチを備える発光装置は、磁性体３３及び磁気センサ４１を用いて切換ユニット３に組合せ、複数の磁界を形成させる。機能ボタンと等価回路を形成し、磁気センサ４１に回路板４を介して発光デバイス２を制御させ、複数の感応操作を発生させることにより、操作を簡単に行うことができる。産業上の応用については、本考案を応用した製品を用いることにより、市場の需要を十分に満たすことが可能である。
【００１２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１３】
【図１】本考案の実施形態によるマグネット制御切換スイッチを備える発光装置を示す分解斜視図である。
【図２】本考案の実施形態によるマグネット制御切換スイッチを備える発光装置を示す断面図である。
【図３】本考案の実施形態によるマグネット制御切換スイッチを備える発光装置を示す斜視図である。
【符号の説明】
【００１４】
１  本体
２  発光デバイス
３  切換ユニット
４  回路板
５  レンズ
６  弾性定位体
１１  カバー
１２  貫孔
３１  内側回転リング
３２  装着孔
３３  磁性体
３４  外側回転リング
４１  磁気センサ
【図１】
0003136405.tif 000003
【図２】
0003136405.tif 000004
【図３】
0003136405.tif 000005